(57)【要約】【課題】ランプ芳香器について、低コストでインテリアとしても魅力的なものとしながら、好みの香りを個々に楽しみやすくすることを課題とする。【解決手段】ＬＥＤ１１とランプシェード１２とＬＥＤ保持体１４とを有し電源手段で通電することで点灯してアロマオイルを蒸散させるランプ芳香器において、電源接続手段は基端側にＵＳＢコネクタ２１を有した電源ケーブル２２であり、ランプシェード１２は、先端側が開放したラッパ状に形成され内側空間基端側から先端方向に中空状に突出しその内側部分が基端側で外側空間に連通してＬＥＤ１１を挿入するためのＬＥＤ室１２０としたＬＥＤ収納部１２ａを一体的に有してなり、オイル保持体１４は繊維を環状に形成してランプシェード１２の内側空間でＬＥＤ収納部１２ａ外周側に形成されたオイル保持部１２ｂに挿設されており、オイル保持部１２ｂ側がＬＥＤ室１２０側に直接的に連通していないことを特徴とするものとした。【選択図】図２
2011054509.tif 000002
【特許請求の範囲】
【請求項１】
ＬＥＤ及びランプシェード有したランプ体とアロマオイルを保持するオイル保持手段と電源接続手段を有した支持体とを備え、前記電源接続手段を介して通電することにより点灯しながらアロマオイルを蒸散させるランプ芳香器において、
前記電源接続手段は基端側にＵＳＢコネクタを有した電源ケーブルであり、前記ランプシェードは、透明又は半透明の樹脂素材からなり基端側から先端に向かって内側空間の内径が拡大し先端側が開放したラッパ状に形成されているとともに、略円錐状の前記内側空間基端側から先端方向に中空状に突出して該中空の内側部分が基端側で外側空間に連通して前記ＬＥＤを挿入するためのＬＥＤ室とされたＬＥＤ収納部を一体的に有してなり、前記オイル保持手段は繊維を環状に形成してなり前記ランプシェードの内側空間で前記ＬＥＤ収納部外周側に形成されたオイル保持部に挿設されており、且つ、該オイル保持部側が前記ＬＥＤ室側に直接的に連通していないことを特徴とするランプ芳香器。
【請求項２】
前記ランプシェードは花弁状に形成され、前記電源ケーブルは所望の形状に変形自在であるとともに先端側に樹脂を萼状に形成してなる接続部品が設けられて、該接続部品に前記ランプシェードが着脱自在に接続されており、前記接続部品と前記ランプシェードを含む前記ランプ体で花部を構成し、前記電源ケーブルを含む前記支持体で茎部を構成して、全体として一輪の花を摸したことを特徴とする請求項１に記載したランプ芳香器。
【請求項３】
前記ＬＥＤの発光部に、所定の色で着色した透光性のカラーキャップを着脱自在に設けるものとされている、請求項１または２に記載したランプ芳香器。
【請求項４】
２枚の支持板が基台部の上面から前記電源ケーブルの外径よりも狭い間隔で並列して上向きに延設されたケーブル挟み部を有してなる樹脂製のケーブル支持台を別体で備えており、該ケーブル支持台を前記ＵＳＢコネクタを接続した前記ＵＳＢポート付近に配置し、２枚の前記支持板の間隔を弾性的に広げながら前記ケーブル挟み部で前記ＵＳＢケーブルの前記ＵＳＢコネクタ近傍部分を下から挟み込むことにより、前記ＵＳＢコネクタの前記ＵＳＢポートへの接続を安定的に支持する、ことを特徴とする請求項１，２または３に記載したランプ芳香器。
【発明の詳細な説明】
【技術分野】
【０００１】
本発明は、ランプ芳香器に関し、殊に、ＬＥＤ及びランプシェードを有したランプ体にオイル保持手段が付設されており、通電することで点灯しながらオイル保持手段のアロマオイルを蒸散する方式のランプ芳香器に関する。  
【背景技術】
【０００２】
近年、所定の香り成分を配合したアロマオイル（香油）を芳香器の香油皿に入れて加熱・蒸散させることにより、その香りが漂う空間内にいる者に対しリラクゼーション作用やリフレッシュ作用等による種々の効果を発揮させる手法が普及しており、目的別に異なる作用を有した多種類のアロマオイルが市販されている。
【０００３】
この手法を実施するための手段として、例えば実登第３０８６６７０号公報に記載されているように、ランプシェード内の白熱電球上方に配置した香油皿にアロマオイルを入れて、白熱電球の熱で香り成分を蒸散させることに加え、その白熱電球の光による視覚的なリラクゼーション作用も発揮するランプ芳香器が知られている。
【０００４】
しかし、このように白熱電球を加熱手段として使用するランプ芳香器では、白熱電球自体の消費電力が大きいとともにその寿命が短く、また熱源として温度が過剰に上昇してアロマオイルが短時間で蒸散しやすくなることもあり、全体として維持コストが嵩みやすくなるという問題がある。
【０００５】
そこで、実登第３１２４６２１１号公報や特開２００３−３１０７３２号公報に記載されているように、白熱電球の代わりにＬＥＤを使用したランプ芳香器が提案されており、白熱電球と比べて消費電力が３分の１以下で寿命が長く過剰な温度上昇を伴わないＬＥＤを使用することで上記問題の解決を図っている。
【０００６】
しかしながら、ＬＥＤはアロマオイルの加熱手段としては加熱能力が小さいたことから、ランプとは別に電気ヒータが必要となって、構造が複雑化しコスト高となりやすい。また、部品が増えることにより嵩張りやすく、デザイン上の制約も生じることから、インテリア（室内装飾）としては魅力に乏しいものが殆どである。さらに、これらは電源に通常のコンセントを用い、電源接続位置から所定範囲内にいる人総てに同じ香りを提供することを想定しているため、複数の人が同じ空間で好みの香りを個々に楽しむことは困難であった。
【先行技術文献】
【特許文献】
【０００７】
【特許文献１】実登第３０８６６７０号公報
【特許文献２】実登第３１２４６２１１号公報
【特許文献３】特開２００３−３１０７３２号公報
【発明の概要】
【発明が解決しようとする課題】
【０００８】
本発明は、上記のような問題を解決しようとするものであり、ランプ芳香器について、低コストでインテリアとしても魅力的なものとしながら、好みの香りを個々に楽しみやすくすることを課題とする。
【課題を解決するための手段】
【０００９】
そこで、本発明は、ＬＥＤ及びランプシェード有したランプ体とアロマオイルを保持するオイル保持手段と電源接続手段を有した支持体とを備え、電源接続手段を介して通電することで点灯しながらアロマオイルを蒸散させるランプ芳香器において、その電源接続手段は基端側にＵＳＢコネクタを有した電源ケーブルであり、そのランプシェードは、透明又は半透明の樹脂素材からなり基端側から先端に向かって内側空間の内径が拡大し先端側が開放したラッパ状に形成されているとともに、略円錐状の内側空間基端側から先端方向に中空状に突出してその中空状の内側部分が基端側で外側空間に連通してＬＥＤを挿入するためのＬＥＤ室とされたＬＥＤ収納部を一体的に有してなり、そのオイル保持手段は繊維を環状に形成してなりランプシェードの内側空間でＬＥＤ収納部外周側に形成されたオイル保持部に挿設されており、且つ、このオイル保持部側がＬＥＤ室側に直接的に連通していないことを特徴とするものとした。
【００１０】
このように、ＵＳＢコネクタを電源接続手段に使用したことにより、パーソナルコンピュータ等のＵＳＢポートに接続するだけで点灯してアロマオイルを蒸散することから、会社や自宅等の屋内や車内において任意の位置で簡易に使用できるものとなり、ラッパ状のランプシェードにＬＥＤ収納部を付設してその外周側にオイル保持部を形成しことで、オイル保持部内側に近接配置したＬＥＤの僅かな熱でもその蒸散が促進されて限定された範囲内で香りが拡散するものとなるため、電気ヒータを要さない簡易な構成として低コスト且つコンパクトなものとすることができる。これに加え、ランプシェード内側空間でオイル保持部がＬＥＤ室に連通していない構成としたことで、アロマオイルがＬＥＤに近接した位置にあってもＬＥＤ及び通電部に侵入する心配のないものとなる。
【００１１】
また、この場合、そのランプシェードは花弁状に形成され、その電源ケーブルは所望の形状に変形自在であるとともに先端側に樹脂を萼状に形成してなる接続部品が設けられて、この接続部品にランプシェードが着脱自在に接続されており、この接続部品とランプシェードを含むランプ体で花部を構成し、電源ケーブルを含む支持体で茎部を構成して、全体として一輪の花を摸したことを特徴とするものとすれば、茎の形状が変形自在な花の飾りとして、ランプ芳香器の機能に加えインテリアとしても魅力的なものとなり、且つ、ランプシェード部分を分離可能としたことで、アロマオイル保持部の洗浄が容易なものとなる。
【００１２】
さらに、上述したランプ芳香器において、そのＬＥＤの発光部に、所定の色で着色した透光性のカラーキャップを着脱自在に設けるものとすれば、このカラーキャップを所望の色のものに交換するだけで、ランプの光を所望する色に容易に変更できるものとなる。
【００１３】
さらにまた、上述したランプ芳香器は、２枚の支持板が基台部の上面から電源ケーブルの外径よりも狭い間隔で並列して上向きに延設されたケーブル挟み部を有してなる樹脂製のケーブル支持台を別体で備えており、このケーブル支持台をＵＳＢコネクタを接続したＵＳＢポート付近に配置し、２枚の支持板の間隔を弾性的に広げながらケーブル挟み部でＵＳＢケーブルのＵＳＢコネクタ近傍部分を下から挟み込むことにより、ＵＳＢコネクタのＵＳＢポートへの接続を安定的に支持する、ことを特徴としたものとすれば、ランプ芳香器のＵＳＢコネクタがＵＳＢポートから脱落したり接続状態が緩んだりすることを回避できるものとなる。
【発明の効果】
【００１４】
ＵＳＢコネクタを電源接続手段として用いるとともに、ランプシェード内側にＬＥＤ収納部を設けてその外周側にオイル保持部を形成した本発明によると、簡易な構成により低コストでインテリアとしても魅力的なものとしながら、好みの香りを個々に楽しみやすいものである。
【図面の簡単な説明】
【００１５】
【図１】本発明における実施の形態のランプ芳香器の正面図である。
【図２】図１のランプ芳香器のランプ体を拡大した部分断面図である。
【図３】図３のランプ体の分解斜視図である。
【図４】図１のランプ芳香器を乗用車内で使用する場合の正面図である。
【図５】図１のランプ芳香器をパーソナルコンピュータのＵＳＢポートに接続して使用している状態の一例を示す正面図である。
【図６】図５の使用例において、ケーブル支持台でＵＳＢコネクタ付近を支持した状態を示す拡大した部分斜視図。
【発明を実施するための形態】
【００１６】
以下に、図面を参照しながら本発明を実施するための形態を説明する。
【００１７】
図１は、本実施の形態のランプ芳香器１の正面図を示している。このランプ芳香器１は、花の茎部を摸した支持体２０とその先端側でスイセン風の花部を摸したランプ体１０とからなり、その支持体２０は電源ケーブル２２の基端側にＵＳＢコネクタ２１を有した電源接続手段からなる。また、その電源ケーブル２２は所望の形状に変形自在なタイプの一般に形状保持フレキと呼ばれるものであり、所望の形状にするとそのまま先端側のランプ体１０を支持できるようになっており、ランプ芳香器であるとともに花の飾りとしてインテリアとしても使用できるものとなっている。
【００１８】
上述したように、従来のＬＥＤ式のランプ芳香器は、アロマオイルを蒸散させるためにＬＥＤの他に電気ヒータを備えている関係で、構造が複雑でコスト高となりやすいことに加え、嵩張りやすくデザイン上の制約からインテリアとしては魅力に乏しくなりがちであった。また、電源手段に通常のコンセントを使用している関係で、複数の人がいる部屋の中で自分の好きな香りを個々に楽しむことも困難であった。
【００１９】
これに対し、本発明のランプ芳香器１は、電源手段にＵＳＢコネクタ２１を用いたことにより、例えば職場において各自のパーソナルコンピュータのＵＳＢポートを電源として各々使用しながら、電気ヒータを用いずにＬＥＤの熱でアロマオイルの蒸散を促進させる簡易な構成として、好みの香りを個々に楽しみやすくした点を特徴としている。
【００２０】
このランプ芳香器１には、図２のランプ体１０部分を拡大した部分縦断面図に示すように、透明又は半透明の樹脂素材からなり基端から先端に向かって内側空間の内径が拡大して先端側が開放したラッパ状の部材からなる、スイセン風の花弁を摸したランプシェード１２が設けられている。
【００２１】
このランプシェード１２には、略円錐状の内側空間基端側から先端方向に砲弾状且つ中空状に形成され、その中空状の内側空間が基端側で外側空間に連通してその連通部分からＬＥＤが挿入・配置されるＬＥＤ室１２０となっているＬＥＤ収納部１２ａが、一体的に（一体成型により）設けられており、そのＬＥＤ収納部１２ａの外周に、オイル保持手段としてのオイル保持体１４を挿設するための周壁状の空間であるオイル保持部１２ｂが形成されている。
【００２２】
そして、このランプシェード１２の内側空間において、オイル保持部１２ｂ側がＬＥＤ１１を挿入・配置するＬＥＤ室１２０側に直接的に連通していない構成となっており、オイル保持体１４に保持しているアロマオイルがＬＥＤ１１やその通電部に侵入することによる不具合を回避できるようになっている。
【００２３】
このように、従来例のように電気ヒータでアロマオイルを加熱・蒸散させるのではなく、周辺温度と比べて４〜５℃程度しか温度上昇しないＬＥＤ１１を持ちながら、ＬＥＤ収納部１２ａに近接してオイル保持体１４を設ける構成としたことにより、これに通電するだけで点灯しながらアロマオイルの蒸散が促進されるものである。
【００２４】
また、オイル保持手段１４としては、繊維を環状に形成したフエルト材等が好適であり、所望のアロマオイルを滴下する等して含浸させて使用するが、電気ヒータを用いる従来例と比べて、温度上昇の小さなＬＥＤ１１では時間当たりのアロマオイルの蒸散量が少なく抑えられるため、図２に示したように容量の小さなオイル保持体１４であっても、比較的長時間に亘って連続的に蒸散しながら香りを放出するものとなる。この場合、蒸散範囲が比較的限定されていることから、同じ部屋内で複数の者が好みの香りを個々に楽しみやすいものとなっている。
【００２５】
さらに、図３の分解斜視図に示すように、電源ケーブル２２の先端側にはＬＥＤ１１が接続されており、この部分を、萼状に樹脂で形成されて貫通孔を有してなる接続部品１３の基端側から挿入して固定した構成となっている。この接続部品１３の貫通孔にはネジ孔１３１が設けられており、ランプシェード１２の基端側のネジ部１２１を螺着することにより、接続部品１３にランプシェード１２が着脱自在な状態で接続される。
【００２６】
このように、オイル保持体１４を含むランプシェード１２部分をこれよりも基端側の部分に着脱自在としたことにより、ランプシェード１２のオイル保持体１４やオイル保持部１２ｂが汚れた場合、または異なるアロマオイルに交換する場合に、ＬＥＤ１１を含む基端側の部分から分離して安全な状態で洗浄を行えるようになり、また、オイル保持体１４の交換作業も容易なものとなる。
【００２７】
加えて、本実施の形態では、ＬＥＤ１１の発光部には所定の色で着色したキャップ状で透光性のあるカラーキャップ１１ｂを着脱自在に設けるものとしており、ランプシェード１２を回転させて外すことでこのカラーキャップ１１ｂの交換作業が容易に行えるようになっている。尚、このカラーキャップ１１ｂは、例えば青、紫等の寒色系のものを使用することで気持ちを落ち着かせ、赤、黄色、ピンク等の暖色系のものを使用することで気持ちを元気にさせる等、各色特有の作用があることから、目的別の色を適宜使い分けて使用すればよい。
【００２８】
本実施の形態のランプ芳香器１の使用に当たっては、使用直前にランプシェード１２内側空間のＬＥＤ収納部１２ａ外周側にフエルト等からなるオイル保持体１４を挿設しておき、これに好みの香り成分が配合されたアロマオイル（常温型のものが好ましい）を滴下して含浸させる。そして、例えばパーソナルコンピュータを使用しながら香りを楽しみたい場合には、変形自在な電源ケーブル２２を適宜好みの形状にして、支持体２０のＵＳＢコネクタ２１を既に起動したパーソナルコンピュータのＵＳＢポートに差し込むことにより、ＬＥＤ１１が点灯してアロマオイルの蒸散が促進される。
【００２９】
一方、乗用車を運転しながら香りを楽しみたい場合には、図４に示すように、ＵＳＢコネクタ２１をシガーライター用ＤＣプラグ３０に差し込んだ状態にして乗用車のシガーライターソケットに挿入して使用する。この場合も、変形自在な電源ケーブル２２を適宜変形させて運転操作の邪魔にならない範囲で好みの形状にすることができる。
【００３０】
ところで、本実施の形態のランプ芳香器１は、電源ケーブル２２の先端側でランプ体１０を所望の位置に支持する構成であることから、図５に示すように、パーソナルコンピュータ５０等のＵＳＢポート５１にＵＳＢコネクタ２１を接続して使用する場合、この接続部に力が加わることで接続状態が緩んで先端側が揺動したり、電気的な接続状態が切断されたりする心配がある。
【００３１】
そこで、図６に示すように、卓上に配置する基台部の上面から２枚の支持板が電源ケーブルの外径よりも狭い間隔で並列して上向きに延設されたケーブル挟み部２５ａを有してなる樹脂製のケーブル支持台２５を、ランプ芳香器１に別体として備えたものとして、このケーブル支持台２５をＵＳＢコネクタ２１が接続されたＵＳＢポート５１付近に配置し、２枚の支持板の間隔を弾性的に広げながらケーブル挟み部２５ａでＵＳＢケーブル２２のＵＳＢコネクタ２１近傍部分を下から挟み込んでＵＳＢコネクタ２１のＵＳＢポート５１への接続を安定的に支持させるようにすれば、ランプ芳香器１のＵＳＢコネクタ２１がＵＳＢポート５１から脱落したり接続状態が緩んだりすることを回避できるものとなる。
【００３２】
そして、前述した各使用状態に共通して、ランプ芳香器１を使用しながら芳香器として自己の目的に合わせた香りを蒸散させることで、リラクゼーション効果やリラックス効果、或いは癒し効果が発揮されることに加え、ランプが所望の色で点灯することによる視覚的効果や一輪の花を摸したデザインにより、さらなる癒し効果も期待されるものである。
【００３３】
また、本実施の形態のランプ芳香器１は、上述したように極めて簡易な構成であるとともに電源接続手段にＵＳＢコネクタを備えたものであるため、コンパクト且つ安価なものとしながら会社や自宅等の屋内や車内において任意の位置で気軽に使用できるものであり、その作用は自分のデスク周りや車内などの比較的狭い範囲に限定されることから、他人への影響を最小限に抑えながら使用者が好きな香りを個々に楽しみやすいものとしている。
【００３４】
以上、述べたように、ランプ芳香器について本発明により、低コストでインテリアとしても魅力あるものとしながら、好みの香りを個々に楽しみやすいものとなった。
【符号の説明】
【００３５】
１  ランプ芳香器、１０  ランプ体、１１  ＬＥＤ、１２  ランプシェード、１２ａ  ＬＥＤ収納部、１２ｂ  オイル保持部、１３  接続部品、１４  オイル保持体、２０  支持体、２１  ＵＳＢコネクタ、２２  電源ケーブル、２５  ケーブル支持台、２５ａ  ケーブル挟み部、５０  パーソナルコンピュータ、５１  ＵＳＢポート、１２０  ＬＥＤ室
【図１】
2011054509.tif 000003
【図２】
2011054509.tif 000004
【図３】
2011054509.tif 000005
【図４】
2011054509.tif 000006
【図５】
2011054509.tif 000007
【図６】
2011054509.tif 000008